(57)【特許請求の範囲】
【請求項１】
リードイン領域内の第１エリアに読取不可能な領域を有すると共に第１エリアとは別の読取可能な第２エリアにディスクタイプ情報が記録された第１のディスクと、リードイン領域内の読取可能な第１エリアにディスクタイプ情報が記録されている第２のディスクのディスクタイプを判別する方法であって、
ディスク上の所定の位置においてウォブルの有無を検出し、
前記ウォブルが検出されない場合は前記第１エリアにサーチして前記ディスクタイプ情報を読取り、前記ウォブルが検出された場合は第２エリアをサーチして前記ディスクタイプ情報を読み取りディスクタイプを判別することを特徴とするディスクタイプ判別方法。
【請求項２】
前記第１エリアはコントロールデータゾーン、前記第２のエリアはＲＷフィジカル・フォーマット・インフォーメーション・ゾーン、前記第１のディスクはＤＶＤ−ＲＷ、前記第２のディスクはＤＶＤ−ＲまたはＤＶＤ−ＲＯＭ（ＤＶＤ−Videoも含む）であり、
前記ウォブルが検出されない場合は前記コントロールデータゾーンにサーチし、ディスクタイプ情報を読取り、そのディスクタイプがＤＶＤ−ＲＯＭ（ＤＶＤ−Videoも含む）であるか否かを判別し、
前記ウォブルが検出された場合は前記ＲＷフィジカル・フォーマット・インフォーメーション・ゾーンをサーチしてその記録情報を読取り、その記録情報がＤＶＤ−ＲＷであるか否かを判別し、その記録情報が０であるときは前記コントロールデータゾーンにサーチし、前記ディスクタイプ情報を読取り、そのディスクタイプ情報がＤＶＤ−Ｒであるか否かを判別することを特徴とする請求項１に記載のディスクタイプ判別方法。
【請求項３】
前記第１エリアはコントロールデータゾーン、前記第２のエリアはＲＷフィジカル・フォーマット・インフォーメーション・ゾーン、前記第１のディスクはＤＶＤ−ＲＷ、前記第２のディスクはＤＶＤ−ＲＯＭ（ＤＶＤ−Videoも含む）であり、
前記ウォブルが検出されない場合は前記コントロールデータゾーンにサーチし、ディスクタイプがＤＶＤ−ＲＯＭ（ＤＶＤ−Videoも含む）であるか否かを判別し、
前記ウォブルが検出された場合は前記ＲＷフィジカル・フォーマット・インフォーメーション・ゾーンをサーチしてそのディスクタイプ情報を読取り、そのディスクタイプがＤＶＤ−ＲＷであるか否かを判別することを特徴とする請求項１に記載のディスクタイプ判別方法。
【請求項４】
リードイン領域内の第１エリアに読取不可能な領域を有すると共に前記第１エリアとは別の読取可能な第２エリアにディスクタイプ情報が記録された第１のディスクと、リードイン領域内の読取可能な第１エリアにディスクタイプ情報が記録されている第２のディスクを再生可能な再生装置であって、
ウォブルの有無を検出するウォブル検出部と、
前記ウォブルが検出されない場合は前記第１エリアにサーチして前記ディスクタイプ情報を読取り、前記ウォブルが検出された場合は第２エリアをサーチして
前記ディスクタイプ情報を読取るディスクタイプ情報読取り部と、
前記ディスクタイプ情報に応じた再生動作を行う再生制御部と、
を備えたことを特徴とするティスク再生装置。
【請求項５】
前記第１エリアはコントロールデータゾーン、前記第２エリアはＲＷフィジカル・フォーマット・インフォーメーション・ゾーン、前記第１のディスクはＤＶＤ−ＲＷ、前記第２のディスクはＤＶＤ−ＲまたはＤＶＤ−ＲＯＭ（ＤＶＤ−Videoも含む）であり、
前記再生制御部は、前記ウォブルが検出されない場合は前記コントロールデータゾーンにサーチしてそのディスクタイプ情報を読取り、ディスクタイプＤＶＤ−ＲＯＭ（ＤＶＤ−Videoも含む）であることを確認した後再生を行い、前記ウォブルが検出された場合は前記ＲＷフィジカル・フォーマット・インフォーメーション・ゾーンをサーチしてその記録情報を読取り、その記録情報がＤＶＤ−ＲＷであることを確認した後再生を行い、その記録情報が０であるときは前記コントロールデータゾーンにサーチして前記ディスクタイプ情報を読取り、ディスクタイプ情報がＤＶＤ−Ｒであることを確認した後再生を行うことを特徴とする請求項４に記載のディスク再生装置。
【請求項６】
前記第１エリアはコントロールデータゾーン、前記第２のエリアはＲＷフィジカル・フォーマット・インフォーメーション、ゾーン、前記第１のディスクはＤＶＤ−ＲＷ、前記第２のディスクはＤＶＤ−ＲＯＭ（ＤＶＤ−Videoも含む）であり、
前記再生制御部は、前記ウォブルが検出されない場合は前記コントロールデータゾーンにサーチし、そのディクタイプ情報を読取り、ディスクタイプがＤＶＤ−ＲＯＭ（ＤＶＤ−Videoも含む）であることを確認した後再生を行い、前記ウォブルが検出された場合は前記ＲＷフィジカル・フォーマット・インフォーメーション・ゾーンをサーチして前記ディスクタイプ情報を読取り、そのディスタイプ情報がＤＶＤ−ＲＷであることを確認した後再生を行うことを特徴とする請求項４に記載のディスク再生装置。
【発明の詳細な説明】
【０００１】
【発明の属する技術分野】
本発明は、特に、ＤＶＤ−ＲＷ再生装置に用いて好適な、光ディスクのタイプ判別方法ならびにその再生装置に関する。
【０００２】
【従来の技術】
ＣＤ−ＲＯＭフォーマットの多様化、及びＤＶＤ（Digital  Versatile  Disk）の登場により、光ディスクに種々のタイプが出現し、今後も増加傾向にある。現状、ＣＤ−ＲＯＭフォーマットでは、読み取り専用のＣＤ−ＲＯＭ、書き込み可能なＣＤ−Ｒがあり、ＤＶＤでは、読み取り専用のＤＶＤ−ＲＯＭ（ＤＶＤ−Videoも含む）、書き換え回数が１回、あるいは有限であるＤＶＤ−Ｒ、ＤＶＤ−ＲＷ、何度でもリードライトできるＤＶＤ−ＲＡＭがある。
【０００３】
ところで、上記したＤＶＤ−Ｒは、トラックフォーマットとしてウォブルならびにランドプリピットが採用され、ディスクのランド部分にデータを記録するという点でＤＶＤ−ＲＯＭ（ＤＶＤ−Videoも含む）と変化はない。このランド部分にアドレス情報等のデータが記録されており、これを利用することでデータの正確な位置情報をドライブが知ることができる。これによって、データを追記する際、高精度で記録できる。
【０００４】
このＤＶＤ−Ｒをベースに発展させ、データを書き込んだり、消去したりできる（追記）ようにした規格がＤＶＤ−ＲＷである。現在ＤＶＤフォーラムの場でＤＶＤ−ＲＷバージョン１．０の規格取り纏め作業が進行している最中である。ＤＶＤ−ＲＷは、シーケンシャルライトで物理的な仕様は、ＤＶＤ−Ｒとほぼ同じである。将来的には、ＤＶＤ−Ｒ／ＲＷドライブとして提供され、ひとつのドライブでＤＶＤ−ＲとＤＶＤ−ＲＷの両方のメディアを読み書きできるようになる。
【０００５】
【発明が解決しようとする課題】
ところで、従来のＤＶＤ−ＲＷ再生装置は、再生時、リードイン領域として割り付けられた物理セクタ番号“３００００ｈ”（セクタナンバ）の少し外周位置にフォーマッティングされたデータ領域をサーチすることによって立ち上げ、装填されたディスクがＤＶＤと判定されたら“２Ｆ２００ｈ”をサーチしてコントロールデータを取得していた。これらフォーマット情報については図３を用いて後述する。
【０００６】
しかしながら、上述したＤＶＤ−ＲＷバージョン１．０では、“２Ｆ２００ｈ”〜“２ＦＥ００ｈ”のコントロールデータゾーンに割り付けられたデータは、エンボスピットによって読出し／書き込みができないデータとして記録されているため、この領域へのサーチは不可能である。
【０００７】
例えば、ＤＶＤ−ＲＯＭ（ＤＶＤ−Videoも含む）あるいはＤＶＤ−Ｒのようにコントローデータゾーンに実際に読めるデータを記録した場合、ＤＶＤ−ＲＷバージョン１．０に従うＤＶＤ−ＲＷによれば、ランド部分にランドプリピット（ガイド信号）があり、この部分の存在によってコントロールデータゾーンのデータを読むことができない。従って、１個の再生装置でＤＶＤ−ＲＷとＤＶＤ−ＲまたはＤＶＤ−ＲＯＭ（ＤＶＤ−Videoも含む）の各メディアを再生することは困難になる。
【０００８】
本発明は上記事情に鑑みてなされたものであり、再生装置に装填されたメディアがＤＶＤと判定されたときに、ウォブルの有無を検出し、ウォブルが存在しなければコントロールデータ領域をサーチし、存在した場合、ＲＷフィジカル・フォーマット・インフォメーション・ゾーンをサーチしてタイプ情報を確認し、タイプ情報がＤＶＤ−ＲＷであれば、データ領域を再度サーチして再生を行い、オール“０”であればＤＶＤ−Ｒと判別し、コントロールデータゾーンをサーチしてＤＶＤ−Ｒであることを確認のうえ再生することにより、アンリーダブルゾーンへのアクセスを回避しながら、ＤＶＤ−ＲまたはＤＶＤ−ＲＯＭ（ＤＶＤ−Videoも含む）を含む従来バージョンにおけるディスクとの互換性を維持できるＤＶＤ−ＲＷバージョン１．０対応の光ディスクのタイプ判別方法ならびにその再生装置を提供することを目的とする。
【０００９】
【課題を解決するための手段】
上述した課題を解決するために請求項１に記載の発明は、リードイン領域内の第１エリアに読取不可能な領域を有すると共に第１エリアとは別の読取可能な第２エリアにディスクタイプ情報が記録された第１のディスクと、リードイン領域内の読取可能な第１エリアにディスクタイプ情報が記録されている第２のディスクのディスクタイプを判別する方法であって、ディスク上の所定の位置においてウォブルの有無を検出し、前記ウォブルが検出されない場合は前記第１エリアにサーチして前記ディスクタイプ情報を読取り、前記ウォブルが検出された場合は第２エリアをサーチして前記ディスクタイプ情報を読み取りディスクタイプを判別することを特徴とする。
【００１０】
請求項２に記載の発明は、請求項１に記載のディスクタイプ判別方法において、前記第１エリアはコントロールデータゾーン、前記第２のエリアはＲＷフィジカル・フォーマット・インフォーメーション・ゾーン、前記第１のディスクはＤＶＤ−ＲＷ、前記第２のディスクはＤＶＤ−ＲまたはＤＶＤ−ＲＯＭ（ＤＶＤ−Videoも含む）であり、前記ウォブルが検出されない場合は前記コントロールデータゾーンにサーチし、ディスクタイプ情報を読取り、そのディスクタイプがＤＶＤ−ＲＯＭ（ＤＶＤ−Videoも含む）であるか否かを判別し、前記ウォブルが検出された場合は前記ＲＷフィジカル・フォーマット・インフォーメーション・ゾーンをサーチしてその記録情報を読取り、その記録情報がＤＶＤ−ＲＷであるか否かを判別し、その記録情報が０であるときは前記コントロールデータゾーンにサーチし、前記ディスクタイプ情報を読取り、そのディスクタイプ情報がＤＶＤ−Ｒであるか否かを判別することを特徴とする。
【００１１】
請求項３に記載の発明は、請求項１に記載のディスクタイプ判別方法において、
前記第１エリアはコントロールデータゾーン、前記第２のエリアはＲＷフィジカル・フォーマット・インフォーメーション・ゾーン、前記第１のディスクはＤＶＤ−ＲＷ、前記第２のディスクはＤＶＤ−ＲＯＭ（ＤＶＤ−Videoも含む）であり、前記ウォブルが検出されない場合は前記コントロールデータゾーンにサーチし、ディスクタイプがＤＶＤ−ＲＯＭ（ＤＶＤ−Videoも含む）であるか否かを判別し、前記ウォブルが検出された場合は前記ＲＷフィジカル・フォーマット・インフォーメーション・ゾーンをサーチしてそのディスクタイプ情報を読取り、そのディスクタイプがＤＶＤ−ＲＷであるか否かを判別することを特徴とする。
【００１２】
請求項４に記載の発明は、リードイン領域内の第１エリアに読取不可能な領域を有すると共に前記第１エリアとは別の読取可能な第２エリアにディスクタイプ情報が記録された第１のディスクと、リードイン領域内の読取可能な第１エリアにディスクタイプ情報が記録されている第２のディスクを再生可能な再生装置であって、ウォブルの有無を検出するウォブル検出部と、前記ウォブルが検出されない場合は前記第１エリアにサーチして前記ディスクタイプ情報を読取り、前記ウォブルが検出された場合は第２エリアをサーチして、前記ディスクタイプ情報を読取るディスクタイプ情報読取り部と、前記ディスクタイプ情報に応じた再生動作を行う再生制御部とを備えたことを特徴とする。
【００１３】
請求項５に記載の発明は、請求項４に記載のディスク再生装置において、前記第１エリアはコントロールデータゾーン、前記第２エリアはＲＷフィジカル・フォーマット・インフォーメーション・ゾーン、前記第１のディスクはＤＶＤ−ＲＷ、前記第２のディスクはＤＶＤ−ＲまたはＤＶＤ−ＲＯＭ（ＤＶＤ−Videoも含む）であり、前記再生制御部は、前記ウォブルが検出されない場合は前記コントロールデータゾーンにサーチしてそのディスクタイプ情報を読取り、ディスクタイプＤＶＤ−ＲＯＭ（ＤＶＤ−Videoも含む）であることを確認した後再生を行い、前記ウォブルが検出された場合は前記ＲＷフィジカル・フォーマット・インフォーメーション・ゾーンをサーチしてその記録情報を読取り、その記録情報がＤＶＤ−ＲＷであることを確認した後再生を行い、その記録情報が０であるときは前記コントロールデータゾーンにサーチして前記ディスクタイプ情報を読取り、ディスクタイプ情報がＤＶＤ−Ｒであることを確認した後再生を行うことを特徴とする。
【００１４】
請求項６に記載の発明は、請求項４に記載のディスク再生装置において、前記第１エリアはコントロールデータゾーン、前記第２のエリアはＲＷフィジカル・フォーマット・インフォーメーション、ゾーン、前記第１のディスクはＤＶＤ−ＲＷ、前記第２のディスクはＤＶＤ−ＲＯＭ（ＤＶＤ−Videoも含む）であり、前記再生制御部は、前記ウォブルが検出されない場合は前記コントロールデータゾーンにサーチし、そのディクタイプ情報を読取り、ディスクタイプがＤＶＤ−ＲＯＭ（ＤＶＤ−Videoも含む）であることを確認した後再生を行い、前記ウォブルが検出された場合は前記ＲＷフィジカル・フォーマット・インフォーメーション・ゾーンをサーチして前記ディスクタイプ情報を読取り、そのディスタイプ情報がＤＶＤ−ＲＷであることを確認した後再生を行うことを特徴とする。
上記構成により、ひとつのドライブでＤＶＤ−ＲＯＭ（ＤＶＤ−Videoも含む）またはＤＶＤ−ＲとＤＶＤ−ＲＷの両方のメディアを読み書きできるＤＶＤ−ＲＯＭ（ＤＶＤ−Videoも含む）またはＤＶＤ−Ｒ／ＲＷドライブが提供でき、このことにより、ＤＶＤ−ＲＯＭ（ＤＶＤ−Videoも含む）またはＤＶＤ−Ｒを含む従来バージョンにおけるディスクとの互換性を維持することができる。
【００１５】
【発明の実施の形態】
図１は、ＤＶＤ−Ｒ、ＤＶＤ−ＲＷのデータ構造を模式的に示した図である。図１において、本ディスクには、クランピングエリアを中心としてグルーブ（Groove）とランド（Land）が螺旋状に形成されており、ランドには、物理アドレスを規定するためのランドプリピット（Land PrePit）が形成されている。ランドプリピットのアドレス情報に基づいて、情報記録再生装置のピックアップが位置合わせ制御されて、グルーブへの情報記録（データ書き込み）とグルーブからの情報再生（データ読み取り）が行われるようになっている。上記データ書き込み又はデータ読み取りが行われるグルーブには、半径方向内側から半径方向外側に向けてＲ−インフォメーションエリア（Ｒ−Information Area：ＲＩＡ）とインフォメーションエリア（Information Area：ＩＡ）が割り当てられている。
【００１６】
Ｒ−インフォメーションエリアＲＩＡは、パワーキャリブレーションエリア（Power Calibration Area：ＰＣＡ）とレコーディングマネージメントエリア（Recording Management Area：ＲＭＡ）で構成され、インフォメーションエリアＩＡは、リードインエリア（Lead-in Area：ＬＩＡ）とデータ記録エリア（Data Recordable Area：ＤＲＡ）及びリードアウトエリア（Lead-out Area：ＬＯＡ）で構成されている。
【００１７】
ここで、データ記録エリアＤＲＡには、オーディオデータやビデオデータ等の各種コンテンツデータ及びコンテツデータをファイルとして管理するためのファイル管理情報が記録される。レコーディングマネージメントエリアＲＭＡとリードインエリアＬＩＡ及びリードアウトエリアＬＯＡには、データ記録エリアＤＲＡに記録されるメインデータの記録状態を示す記録管理データが記録される。パワーキャリアブレーションエリアＰＣＡは、情報記録再生装置がデータ書き込みを行う際、試し書き等を行って適当な動作状態でのデータ書き込みが行えるようにピックアップの光量等を調整するために設けられている。レコーディングマネージメントエリアＲＭＡには、リードイン、リードアウト、及びＤＲＡの記録状態を管理するための記録管理データが記録される。
【００１８】
リードインエリアＬＩＡには、ディスクの物理情報を示す記録管理データが記録される。リードアウトエリアＬＯＡは、データ記録エリアＤＲＡに記録されるメインデータの終端位置に設けられる。リードアウトエリアＬＯＡには、（００）ｈのデータが記録される。リードアウトエリアＬＯＡの記録開始位置は、メインデータのデータ量に応じて変化する。
【００１９】
これら各エリアＰＣＡ、ＲＩＡ、ＬＩＡ、ＤＲＡ、ＬＯＡの領域アドレスと、データの記録アドレスは、上記のランドプリピットに基づいて物理的に決められたＥＣＣブロックアドレスに従って設定されるようになっている。
【００２０】
図２は、ＤＶＤ−ＲＷ（１）におけるグルーブとランドの配置関係を示す図である。ＤＶＤ−ＲＷにおいて、トラックはグルーブ２に記録され、左右にランドプリピット４（ガイド信号）が配置され、ランド３（ガイドトラック）に書かれてあるアドレスを見てはグルーブ２の物理的なセクタナンバを生成して情報信号を記録する。
【００２１】
図３は、リードインエリアの構成を示す図であり、ＤＶＤ−ＲＷバージョン１．０と、ＤＶＤ−ＲＯＭ（ＤＶＤ−Videoも含む）およびＤＶＤ−Ｒのそれぞれを（ａ）（ｂ）として対比して示してある。
【００２２】
図３において、（ａ）（ｂ）ともにリードインの開始位置であるセクタナンバ“２２ＦＡ０ｈ”にはイニシャルゾーンが割り付けられ、このイニシャルゾーンには、ブランクを意味する（００）ｈがセットされている。
【００２３】
（ａ）において、このイニシャルゾーンに続いてセクタナンバ“２Ｄ６００”からシステムゾーンが割り付けられ、セクタナンバ“２Ｅ２００”からブランク（００）ｈのバッファゾーンが設けられている。続いてセクタナンバ“２Ｅ４００ｈ”には、ＲＷ・フィジカル・フォーマット・インフォメーション・ゾーンが割り付けられ、ここには、適用されるＤＶＤ規格のタイプ（ＤＶＤ規格のタイプ（ＤＶＤ−ＲＯＭ（ＤＶＤ−Videoも含む）・ＤＶＤ−ＲＡＭ・ＤＶＤ−ＲＷ等）およびパートバージョン、ディスクサイズおよび最大読出レート、ディスク構造（１層ＲＯＭディスク・１層ＲＡＭディスク・２層ＲＯＭ／ＲＡＭディスク等）、記録密度、データエリアアロケーション、バーストカッティングエリアにおける記録時の露光量指定のための線速度条件、読出しパワー、ピークパワー、バイアスパワー、媒体の製造に関する諸情報等が記録されている。
【００２４】
そして、セクタナンバ“２Ｆ０００”以降は、（ａ）（ｂ）とも、同じようにフォーマッティングされ、まず、リファレンスコードゾーンが設けられ、このリファレンスコードゾーンには、エンボス基準コードが記録されている。エンボス基準コードとして予め定められた変換テーブル中のコードワードが繰り返されている。この所定のコードワードが正しく読み出されるように、換言すれば、所定のエラー率の範囲内で読み出されるように装置が設定される。このリファレンスコードゾーンに続いてまたブランク（００）ｈのバッファゾーン、そして、コントロールゾーンが設けられている。
【００２５】
図４は、本発明のディスク再生装置の内部構成を機能展開して示したブロック図であり、ここでは、ＤＶＤ−ＲＷ再生装置を構成する各機能ブロックのうち、フォーマット制御に関係するブロックのみ抽出して示したものである。
具体的には、ディスク再生装置の制御中枢となるシステムコントローラ（図示せず）が相当する。システムコントローラは、プログラムに基づき再生装置を制御するＣＰＵと、プログラムを格納するＲＯＭと、作業領域が割り付けられＣＰＵにより使用されるＲＡＭで構成される。
【００２６】
ＤＶＤ−ＲＷ再生装置１０は、ウォブル検出部１１と、タイプ情報読み取り部１２と、再生制御部１３からなる。ウォブル検出部は、データ領域をサーチして立ち上げ、ＤＶＤと判定されたときに、ウォブルの有無を検出する機能を有する。タイプ情報読み取り部は、ウォブルが存在しなければリードイン領域に割り付けられたコントロールデータ領域をサーチし、存在した場合、リードイン領域に割り付けられたＲＷ物理フォーマット情報領域をサーチしてタイプ情報を得る機能を有する。再生制御部は、タイプ情報がＤＶＤ−ＲＷであれば、前記データ領域を再度サーチして再生を行い、オール“０”であれば、ＤＶＤ−Ｒと判断し、前記リードイン領域に割り付けられたコントロールデータ領域をサーチし、ＤＶＤ−Ｒであることを確認して再生する機能を有する。つまり、物理フォーマット情報領域にサーチしたときに、図３に示したように、ＤＶＤ−ＲＷであればタイプ情報等が記録されており、ＤＶＤ−ＲＯＭ（ＤＶＤ−Videoも含む）、ＤＶＤ−Ｒであればイニシャルゾーンのオール“０”が記録されているのである。
【００２７】
図５は、本発明のディスクタイプ判別方法を説明するために引用したフローチャートである。以下、図５に示すフローチャートを参照しながら本発明実施形態の動作について詳細に説明する。
【００２８】
まず、ＤＶＤ−ＲＷ再生装置１０は、セクタナンバ“３００００ｈ”の少し外周をサーチして立ち上げ、ＤＶＤと判別された後にウォブルの検出を行う（ステップＳ５１）。ＤＶＤの判別は、例えば、ＣＤとＤＶＤではトラックピッチが異なるため、所定の区間トラックを横切ったときに得られるトラッキングエラー信号の周期の数が所定値より多いときはＤＶＤ、少ないときはＣＤと判別する。
【００２９】
ウォブル有無のチェックの結果、ウォブルがなかった場合（ステップＳ５１：ＮＯ）、ＤＶＤ−ＲＯＭ（ＤＶＤ−Videoも含む）であるとして、セクタナンバ“２Ｆ２００ｈ”以降のコントロールデータゾーンにサーチし、その中のフィジカル・フォーマット・インフォメーション・エリア内に記録されているブックタイプを読み込み（ステップＳ５２）、ブックタイプがＤＶＤ−ＲＯＭ（ＤＶＤ−Videoも含む）であることを確認した後、“３００００ｈ”以降のデータエリアへサーチし、ファイルシステムを読み込み（ステップＳ６０）、以降、再生処理に入る。
【００３０】
一方、ウォブルがあった場合（ステップＳ５１：ＹＥＳ）、ＤＶＤ−ＲＷまたはＤＶＤ−Ｒとして、“２Ｅ４００ｈ”以降のＲＷフィジカル・フォーマット・インフォメーション・ゾーンにサーチし、その中のフィジカル・フォーマット・インフォメーション・エリアに記録されているブックタイプを読むべく、フィジカル・フォーマット・インフォメーション・エリアの最初の１バイトを読み込む（ステップＳ５３）。ここで、ブックタイプは、フィジカル・フォーマット・インフォメーション・エリアの最初の１バイト中の頭４ビットに割付けられている。
【００３１】
そして、ブックタイプがＤＶＤ−ＲＷであれば（ステップＳ５４：ＹＥＳ）、ＤＶＤ−ＲＷであると判別してデータエリアへサーチし、ファイルシステムを読み込み（ステップＳ６０）、再生処理に入る。ブックタイプがＤＶＤ−ＲＷでなければ（ステップＳ５４：ＮＯ）、読み込んだフィジカル・フォーマット・インフォメーション・エリアが全て“０”であるか否かを判断し、全て“０”であれば（ステップＳ５５：ＹＥＳ）、前述したようにＤＶＤ−Ｒとして、“２Ｆ２００ｈ”以降のコントロールデータゾーンにサーチし、その中のフィジカル・フォーマット・インフォメーション・エリアに記憶されているブックタイプを読み込み（ステップＳ５２）、ブックタイプがＤＶＤ−Ｒであることを確認した後（ステップＳ５９：ＹＥＳ）、データエリアへサーチし、ファイルシステムを読み込み（ステップＳ６０）、再生処理に入る。
【００３２】
なお、ウォブルがあるにもかかわらず、ブックタイプがＤＶＤ−ＲＯＭ（ＤＶＤ−Videoも含む）と判断された場合には（ステップＳ５６；ＹＥＳ、ステップＳ５８：ＹＥＳ）、違法にコピーされたディスクと判断してトレイがオープンされる（ステップＳ６１）。
【００３３】
以上説明のように、本発明によれば、ＤＶＤ−ＲＷバージョン１．０で、コントロールデータゾーンの内容がエンボスピットにより読出しができない状態にあってもウォブルを検出し、ブックタイプを読むことによって、アンリーダブルゾーンへのアクセスを回避しながら、ＤＶＤ−ＲＷとＤＶＤ−Ｒ、あるいはＤＶＤ−ＲＯＭ（ＤＶＤ−Videoも含む）の判別が可能となり、１台のＤＶＤ再生装置でＤＶＤ−ＲＷとＤＶＤ−ＲおよびＤＶＤ−ＲＯＭ（ＤＶＤ−Videoも含む）の各メディアを読み書きできるようになる。
【００３４】
尚、ディスクの立ち上げ時、“３００００ｈ”の少し外周をサーチしたが、要は、コントロールデータゾーンのサーチを回避できる場所であればどこでもよい。
また、図５のステップＳ５５で、フィジカル・フォーマット・インフォメーション・エリアが全て“０”であるか否かを判断したが、それに限らずフィジカル・フォーマット・インフォメーション・エリア内の任意のエリアの所定バイト数が“０”であるか否かを判断してもよい。
【００３５】
【発明の効果】
以上説明のように本発明によれば、再生装置に装填されたメディアがＤＶＤであると判定されたときにウォブルの有無を検出し、ウォブルが存在しなければコントロールデータゾーンをサーチし、存在した場合、ＤＶＤ−ＲＷフィジカルフォーマットインフォメーションゾーンをサーチしてタイプ情報を確認し、タイプ情報がＤＶＤ−ＲＷであればデータ領域を再度サーチして再生を行い、オール“０”であればＤＶＤ−Ｒと判別し、コントロールデータ領域をサーチしてＤＶＤ−Ｒであることを確認したうえで再生を開始することで、アンリーダブルゾーンへのアクセスを回避しながら、ＤＶＤ−ＲまたはＤＶＤ−ＲＯＭ（ＤＶＤ−Videoも含む）を含む従来バージョンにおけるディスクとの互換性を維持したＤＶＤ−ＲＷバージョン１．０対応のディスク再生装置、ここではＤＶＤ再生装置を提供することができる。
【図面の簡単な説明】
【図１】本発明において使用されるＤＶＤ−ＲＷのディスク構造を示す図である。
【図２】図１に示すＤＶＤ−ＲＷにおけるグルーブとランドの配置関係を示す図である。
【図３】本発明の一実施形態をリードインエリアのレイアウトとして示した図である。
【図４】本発明のディスク再生装置の内部構成を機能展開して示したブロック図である。
【図５】本発明のディスクタイプ判別方法を説明するために引用したフローチャートである。
【符号の説明】
１…ディスク、２…グルーブ、３…ランド、４…ランドプリピット、１１…ウォブル検出部、１２…タイプ情報読み取り部、１３…再生制御部
【図１】
0003979560.tif 000002
【図２】
0003979560.tif 000003
【図３】
0003979560.tif 000004
【図４】
0003979560.tif 000005
【図５】
0003979560.tif 000006